(57)【要約】【課題】昇降棚を前下方及び後下方の二方向に昇降自在とする昇降装置を提供する。【解決手段】昇降棚１２の側板１１ａの外方面には第１の軸である軸１７ａが固定され、側板１１ａと対向する図示しない支持板の内方面には、図示しない第２の軸が固定されている。支持アーム２４ａは、その上方端部が第１の軸に回動自在に取付けられると共に、その下方端部が第２の軸に回動自在に取付けられている。よって、昇降棚１２は、第２の軸を中心に回転する支持アーム２４ａを介して、前下方及び後下方のいずれの方向にも移動することができる。更に、第１の軸及び第２の軸には一組のスプロケットがそれぞれ固定され、これらのスプロケットを架け渡すようにチェーン２５が取付けられている。支持アーム２４ａが移動しても、一組のスプロケットとチェーン２５により、軸１７ａはその軸中心周りの回動が阻止されるため、昇降棚１２の水平状態が常に維持される。【選択図】        図３
2004321506.tif 000002
【特許請求の範囲】
【請求項１】
昇降棚を、その一対の側板を支持して前下方および後下方のいずれの方向にも引き出すことができる昇降装置であって、
前記側板の各々の外方に対向するように設けられた一対の支持板と、
前記側板の各々の外方面に固定された一対の第１の軸と、
前記支持板の各々の内方面であって、前記昇降棚の収納時における前記第１の軸の鉛直下方に対応する位置に固定された一対の第２の軸と、
前記第１の軸の各々と前記第２の軸の各々に対して回動自在に取付けられた一対の支持アームと、
前記側板の少なくとも一方の外方面側における前記第１の軸と前記第２の軸との間に架け渡され、前記昇降棚の位置にかかわらず、前記第１の軸の軸中心周りの回動を阻止する回動阻止手段とを備えた、昇降装置。
【請求項２】
前記回動阻止手段は、
前記第１の軸の各々に固定された一対の第１のスプロケットと、
前記第２の軸の各々に固定された一対の第２のスプロケットと、
前記第１のスプロケットの各々と前記第２のスプロケットの各々とに架け渡すように取付けられた一対のチェーンとからなる、請求項１記載の昇降装置。
【請求項３】
前記支持アームの少なくとも一方に取付けられ、該支持アームを前記昇降棚の引き出し時の前記第２の軸を中心とする回転方向と逆方向に付勢する付勢手段と、
前記支持アームの少なくとも一方に取付けられ、該支持アームの移動を緩衝するための緩衝手段とを更に備えた、請求項１又は請求項２記載の昇降装置。
【請求項４】
前記付勢手段は、前記支持アームの各々に取付けられ、かつ中空のコイル形状のスプリングからなり、
前記緩衝手段は、前記支持アームの各々に取付けられ、かつ前記スプリングの各々のコイル形状内部において、その軸方向が前記スプリングの軸方向となるように配置されたオイルダンパーからなる、請求項３記載の昇降装置。
【発明の詳細な説明】
【０００１】
【発明の属する技術分野】
この発明は、昇降装置に関し、特にカウンターキッチン等で使用する昇降棚に関するものである。
【０００２】
【従来の技術】
図８は、従来の収納棚を使用したカウンターキッチンの概要を示した図であり、図９は、図８で示したＩＸ−ＩＸラインの断面図である。
【０００３】
これらの図を参照して、図示しない台所と居住スペースとを区切るように、床５８上にカウンター５６が設置されている。このカウンター５６は、例えば、台所での炊事作業時に作業台としたり、台所で調理した料理を供して居住スペース側からカウンター５６上で食事をするなどの用途で使用されるものである。
【０００４】
カウンター５６上には、収納棚５１が、カウンター５６の長手方向とほぼ平行に天井５７から吊下げるように取付けられている。
【０００５】
収納棚５１は、対向する一対の面が開放された直方体箱形形状の収納本体５９と、扉５２及び５４とから構成されている。収納棚５１の開放された面の一方には、扉５２ａ及び５２ｂが観音開きに開閉自在となるようにヒンジ５９ａ〜５９ｄにより取付けられている。また、扉５２ａ及び５２ｂの外方面には、扉の開閉操作をしやすくするための取手５３ａ及び５３ｂが取付けられている。開放された他方の面についても同様に、取手５５ａを有する扉５４ａを含む一対の扉が、ヒンジにより開閉自在に取付けられている。
【０００６】
このように構成されているため、台所と居住スペースの両方側から収納棚５１を使用することが可能である。
【０００７】
【発明が解決しようとする課題】
上記のような従来の収納棚では、収納棚を前後両方側から使用することができるので便利であるが、天井から吊下げるように高い位置に取付けられるために、使用者の手が届きにくく、使い勝手が良くない。
【０００８】
この発明は、この課題を解決するためになされたもので、昇降棚を前下方及び後下方の二方向に昇降自在として収納棚の使い勝手を向上する昇降装置を提供することを目的とする。
【０００９】
【課題を解決するための手段】
上記の目的を達成するために、請求項１記載の発明は、昇降棚を、その一対の側板を支持して前下方および後下方のいずれの方向にも引き出すことができる昇降装置であって、側板の各々の外方に対向するように設けられた一対の支持板と、側板の各々の外方面に固定された一対の第１の軸と、支持板の各々の内方面であって、昇降棚の収納時における第１の軸の鉛直下方に対応する位置に固定された一対の第２の軸と、第１の軸の各々と第２の軸の各々に対して回動自在に取付けられた一対の支持アームと、側板の少なくとも一方の外方面側における第１の軸と第２の軸との間に架け渡され、昇降棚の位置にかかわらず、第１の軸の軸中心周りの回動を阻止する回動阻止手段とを備えたものである。
【００１０】
このように構成すると、昇降棚は、収納時の水平状態をほぼ維持したまま、支持アームを介して前下方及び後下方に移動自在となる。
【００１１】
請求項２記載の発明は、請求項１記載の発明の構成において、回動阻止手段は、第１の軸の各々に固定された一対の第１のスプロケットと、第２の軸の各々に固定された一対の第２のスプロケットと、第１のスプロケットの各々と第２のスプロケットの各々とに架け渡すように取付けられた一対のチェーンとからなるものである。
【００１２】
このように構成すると、チェーンに係合する第１のスプロケットは、第１の軸の軸中心の周りを回転することなく、第２の軸を中心に円弧上を移動する。
【００１３】
請求項３記載の発明は、請求項１又は請求項２記載の発明の構成において、支持アームの少なくとも一方に取付けられ、支持アームを昇降棚の引き出し時の第２の軸を中心とする回転方向と逆方向に付勢する付勢手段と、支持アームの少なくとも一方に取付けられ、支持アームの移動を緩衝するための緩衝手段とを更に備えたものである。
【００１４】
このように構成すると、昇降棚は、支持アームを介して付勢手段によってその引き出し方向と逆方向に付勢されると共に、緩衝手段によってその移動が緩衝される。
【００１５】
請求項４記載の発明は、請求項３記載の発明の構成において、付勢手段は、支持アームの各々に取付けられ、かつ中空のコイル形状のスプリングからなり、緩衝手段は、支持アームの各々に取付けられ、かつスプリングの各々のコイル形状内部において、その軸方向がスプリングの軸方向となるように配置されたオイルダンパーからなるものである。
【００１６】
このように構成すると、緩衝手段は、付勢手段の配置に要するスペース内に収まる。
【００１７】
【発明の効果】
以上説明したように、請求項１記載の発明は、昇降棚は、収納時の水平状態をほぼ維持したまま、支持アームを介して前下方及び後下方に移動自在となるため、前方及び後方の両方側から昇降棚を引き出して使用することが可能となり、収納がしやすくなる。また、昇降棚の位置にかかわらず前後に揺れることがなく、使い勝手が良い。
【００１８】
請求項２記載の発明は、請求項１記載の発明の効果に加えて、チェーンに係合する第１のスプロケットは、第１の軸の軸中心の周りを回転することなく、第２の軸を中心に円弧上を移動するため、第１の軸は第１のスプロケットを介してその軸中心周りの回転が阻止され、昇降棚が前後に揺れることがない。
【００１９】
請求項３記載の発明は、請求項１又は請求項２記載の発明の効果に加えて、昇降棚は付勢手段によってその引き出し方向と逆方向に付勢されるため、昇降棚の昇降操作に要する力が軽減されると共に、収納時に昇降棚の前後両方向への衝動的な移動が抑制され収納状態が安定する。また、緩衝手段によって支持アームの移動が緩衝されているため、引き出し時の昇降棚の急激な移動が抑制される。
【００２０】
請求項４記載の発明は、請求項３記載の発明の効果に加えて、緩衝手段は、付勢手段の配置に要するスペース内に収まるため、効率的な配置が実現できる。
【００２１】
【発明の実施の形態】
図１は、この発明の第１の実施の形態による昇降装置の正面図である。
【００２２】
図を参照して、台所等の天井５７から吊下げるように昇降装置１が取付けられている。この昇降装置１は、図９で示した従来例と同様に図示しない台所と居住スペースとを区切るような位置に取付けられ、区切られたいずれの方向からも利用する目的で取付けられているものである。
【００２３】
昇降装置１は、天井５７に取付けられた収納ケース２と、収納ケース２に格納された昇降棚１２と、収納ケース２内部に取付けられた一対の機構ボックス２９ａ及び２９ｂと、昇降棚１２とその両側の支持板４ａ及び４ｂとを接続する支持アーム２４ａ及び２４ｂとから構成されている。以下、これらの各構成について説明する。
【００２４】
収納ケース２は、天井５７に取付けられた上板３と、上板３の両端に接続され垂直に配置された一対の支持板４ａ及び４ｂとからなり、前面と後面と底面の３面が開放されている。支持板４ａ及び４ｂは、その外方側において図示しない他の収納棚や壁等に固定されており、その移動が阻止されている。尚、収納ケース２の前面部分を覆うように、扉６ａ及び６ｂが取付けられている。扉６ａ及び６ｂは、ヒンジ１０ａ〜１０ｄを介して支持板４ａ及び４ｂに取付けられており、両開きに開閉自在である。扉６ａ及び６ｂの下方には取手７ａ及び７ｂが取付けられているが、これらの取手７ａ及び７ｂは扉６ａ及び６ｂを開閉しやすくするためのものである。また、後面にも、同様に図示しない扉が両開きに開閉自在に取付けられている。このように前面及び下面に扉が取付けられているため、収納ケース２に格納された昇降棚１２に埃等が入りにくく、見た目にもすっきりした状態となる。
【００２５】
昇降棚１２は、対向する一対の側板１１ａ及び１１ｂを備え、収納ケース２に格納された状態で、側板１１ａと収納ケース２の支持板４ａとが対向し、側板１１ｂと支持板４ｂとが対向するように配置されている。この昇降棚１２は、前面及び後面のいずれの側からでも物品の出し入れが可能なように、前面と後面との二面が開放されている。また、昇降棚１２の底板１３は、収納ケース２の底板部分を兼ねるように構成されている。尚、後述するように昇降棚１２は収納ケース２の前方及び後方へと引き出し自在であるが、その際に内部の物品が落下するのを防止するために各棚板には落下防止板１６ａ及び１６ｂが取付けられている。また、昇降棚１２の下方部分には、昇降操作で使用するための取手１５ｂが取付けられている。
【００２６】
支持アーム２４ａ及び２４ｂは、収納ケース２と昇降棚１２の間に配置されている。支持アーム２４ａは、その上端部が昇降棚１２の側板１１ａの外方面に固定された軸１７ａに回動自在に取付けられ、その下端部が収納ケース２の支持板４ａの内方面に固定された軸２０ａに回動自在に取付けられている。支持アーム２４ｂについても同様に、側板１１ｂに固定された軸１７ｂと支持板４ｂに固定された軸２０ｂのそれぞれに回動自在に取付けられている。
【００２７】
機構ボックス２９ａ及び２９ｂは、収納ケース２の支持板４ａ及び４ｂの内方面の下方に取付けられている。この機構ボックス２９ａ及び２９ｂは、昇降棚１２の昇降をサポートするために取り付けられているものである。また、支持板４ａ及び４ｂの内方面の前下方には、ストッパー２７ｂ及び２７ｄが取付けられているが、昇降棚１２の引き出し時に支持アーム２４ａ及び２４ｂの移動を停止する目的で取付けられているものである。
【００２８】
図２は、図１で示したＩＩ−ＩＩラインから見た底面図である。
【００２９】
図を参照して、扉８ａ及び８ｂは収納ケース２の後面を覆うように取付けられた両開きの扉であり、扉８ａ及び８ｂの外方面には、取手９ａ及び９ｂがそれぞれ取付けられている。収納ケース２の下面は開放されており、昇降棚１２の底板１３は、収納ケース２の開放された面をほぼ覆うことができる大きさに形成されている。したがって、収納ケース２の下面が開放された構成であっても、昇降棚１２が格納された状態では、昇降棚１２の底板１３が収納ケース２の下面部分を兼ねるため、外観がすっきりする。
【００３０】
図３は、図１で示したＩＩＩ−ＩＩＩラインの断面図であり、図４は、図３で示したＩＶ−ＩＶラインの拡大断面図である。
【００３１】
これらの図を参照して、支持板４ａと昇降棚１２の側板１１ａとの間隔において、支持板４ａの内方面下方に機構ボックス２９ａが取付けられ、機構ボックス２９ａと側板１１ａとの間隔に支持アーム２４ａが配置されている。
【００３２】
支持アーム２４ａの下方端部は、支持板４ａに断面Ｌ字状の軸受板３６を介して固定された軸２０ａに回動自在に取付けられており、結果として支持アーム２４ａは軸２０ａを中心に昇降装置１の前後いずれの方向にも回転することが可能である。一方、支持アーム２４ａの上方端部は、昇降棚１２の側板１１ａ上に取付板１４を介して固定された軸１７ａに回動自在に取付けられている。また、昇降棚１２の他方の側板と支持板との間についても同様に、支持アームが側板上の軸と支持板上の軸のそれぞれに回動自在に取付けられている。
【００３３】
このように昇降棚１２の側板１１と収納ケース２の支持板４とがそれぞれ接続されているため、昇降棚１２は、収納ケース２に格納された位置（図３の実線で示した位置）から、前下方及び後下方の二点鎖線で示した位置まで引き出し自在に移動することが可能である。昇降棚１２が前下方又は後下方に最も引き出された位置（二点鎖線で示した位置）では、ストッパー２７ａ又は２７ｂによって、支持アーム２４ａの更なる回転が停止されている。
【００３４】
また、支持アーム２４ａの支持板４ａ側の面には、スプロケット１８とスプロケット２１とチェーン２５とからなる、軸１７ａの回動阻止手段が構成されており、これらの機構を保護するためのチェーンケース２６が取付けられている。この回動阻止手段は、昇降棚１２の昇降時に軸１７ａの軸中心周りの回動を阻止して、昇降棚１２をその位置にかかわらず水平に保持するためのものである。これらの詳細な動作原理については、後述する。
【００３５】
機構ボックス２９ａの内部には、緩衝手段であるオイルダンパー３１と付勢手段であるスプリング３２とが、その各々の軸方向がほぼ垂直方向となるように配置されている。オイルダンパー３１とスプリング３２とは、オイルダンパー３１の径がスプリング３２の中空のコイル形状の径より小さくなるものが組み合わされており、オイルダンパー３１はスプリング３２の中空のコイル形状の内部に配置されている。オイルダンパー３１とスプリング３２とがこのように配置されているため、緩衝手段と付勢手段の配置に要するスペースが小さくなり、緩衝手段と付勢手段の効率的な配置が可能となる。
【００３６】
オイルダンパー３１は、その上方端部が機構ボックス２９ａの上方に取付けられた軸３３に回動自在に取付けられ、その下方端部が機構ボックス２９ａの側面パネル３０を貫通する軸３４に回動自在に取付けられている。この軸３４は、側面パネル３０に形成された長孔３５を貫通して、支持アーム２４ａの下方端部に接続されており、支持アーム２４ａの軸２０ａ周りの回転に伴って長孔３５内部を移動することが可能である。スプリング３２は、オイルダンパー３１の外周壁上において、その上方端部及び下方端部がオイルダンパー３１の両端部に取付けられ、軸方向への伸張が阻止されている。
【００３７】
尚、オイルダンパー３１は、支持アーム２４ａの移動を緩衝するために取付けられ、スプリング３２は、支持アーム３１を付勢するために取付けられているものである。これらの詳細についても後述する。
【００３８】
図５は、スプロケットとチェーンとからなる回動阻止手段の動作原理を示した概略図であり、図６は、図１で示したＶＩ−ＶＩラインの拡大断面図である。尚、チェーンケースについては記載を省略している。
【００３９】
まず、支持アーム２４ａに沿う位置に構成された軸１７ａの回動阻止手段の動作原理について説明する。この回動阻止手段は、一対の支持アーム２４ａ及び２４ｂのそれぞれに沿う位置に構成されているが、それぞれ全く同一の構成であるので、以下、支持アーム２４ａ側についてのみ説明する。
【００４０】
図５を参照して、ここでは、軸１７ａ及び２０ａと、これらに固定された同じ大きさのスプロケット１８及び２１と、チェーン２５とに関してのみ移動時の位置関係を示し、他の構成については省略している。図の実線部分は、図示しない支持アームが垂直な状態、即ち、昇降棚が収納ケースに格納された状態における回動阻止手段の位置を示している。破線部分は、回動阻止手段が、昇降棚の引き出しに伴って、実線位置から支持アームが軸２０ａを中心に図における時計回りに角度θだけ回転したときの位置を示し、二点鎖線部分は、実線位置から時計回りに９０°回転したときの位置を示している。
【００４１】
回動阻止手段が実線の位置にある場合において、スプロケット２１に対するチェーン２５の接触開始点の一方を点Ａとし、軸１７ａの垂直上方に位置するチェーン２５上の点を点Ｐとする。また、軸１７ａと軸２０ａとの距離をＬ１とし、スプロケット１８の１／４周分のチェーン２５の長さをＬ２とすると、チェーン２５におけるＡＰ間の長さは、Ｌ１＋Ｌ２と表せる。
【００４２】
次に、回動阻止手段が角度θだけ移動して破線の位置にある場合において、スプロケット２１に対するチェーン２５の接触開始点を点Ｂとする。すると、弧ＡＢの中心角の角度がθとなる。また、スプロケット１８に対するチェーン２５の接触開始点のうち点Ａに近い方を点Ｍとし、軸２０ａから最も遠いチェーン２５上の点を点Ｎとする。ここで、チェーン２５のＡＰ間の長さに着目すると、その長さはＬ１＋Ｌ２で常に一定であり、このうちＢＭ間の長さはＬ１で共通であるため、弧ＡＢ＋弧ＭＰの長さはＬ２と等しくなる。一方、スプロケット１８上の弧ＭＮの長さもまた、スプロケット１８の１／４周分の長さＬ２である。弧ＡＢ＋弧ＭＰと弧ＭＮとでは、弧ＭＰ部分が共通のため、弧ＰＮは、弧ＡＢと等しい長さである。また、スプロケット２１とスプロケット１８とは、上述の通り、同じ大きさである。したがって、スプロケット１８上においてＯＰとＯＮとがなす角は、弧ＡＢの中心角、即ち、支持アームの回転角度であるθと等しくなる。よって、チェーン上の点Ｐは、軸１７ａの垂直上方に位置していることになる。
【００４３】
更に、回動阻止手段が９０°移動して二点鎖線の位置にある場合において、スプロケット２１に対するチェーン２５の接触開始点をＣとする。スプロケット２１はスプロケット１８と同じ大きさであるため、弧ＡＣの長さは、スプロケット１８の１／４周分の長さであるＬ２である。ＡＰ間の長さはＬ１＋Ｌ２で常に一定であるため、ＣＰ間の長さはＬ１となり、軸１７ａと軸２０ａとの距離と等しくなる。よって、点Ｐは軸１７ａの垂直上方に位置している。
【００４４】
以上より、スプロケット１８が実線位置から時計回りに９０°までのいずれの範囲に移動しても、軸１７ａはスプロケット１８に固定されているため、軸１７ａ上の点Ｑは、常に点Ｐの下方、すなわち軸１７ａの軸中心に対して常に同じ位置にある。また、スプロケット１８はチェーン２５と係合しているため、スプロケット１８とスプロケット１８に固定された軸１７ａとはその軸中心周りの回転が、常に阻止されている。これらは、スプロケット１８が図における反時計回りに移動した場合や、９０°以上の角度を移動した場合についても同様である。
【００４５】
次に、上記の回動阻止手段と昇降棚の移動との関係について説明する。
【００４６】
図６を参照して、支持アーム２４ａの一方面に沿うように、スプロケット１８及び２１、チェーン２５が配置されている。スプロケット１８は、側板１１ａに固定された軸１７ａにキー１９によって固定されている。スプロケット２１は、図示しない支持板に固定された軸２０ａにキー２２によって固定されている。そして、これらのスプロケット１８とスプロケット２１とを架け渡すように、チェーン２５が張り渡されている。
【００４７】
昇降棚１２を、収納ケースに格納された状態（図の実線で示した位置）から破線で示した位置まで、取手１５ｂを持って矢印の方向に引き出すと、支持アーム２４ａの回転に伴って、軸１７ａ及びスプロケット１８は、軸２０ａを中心に図における時計回りに円弧上を移動する。
【００４８】
このとき、上述したように、軸１７ａは、その位置にかかわらず、軸１７ａを中心とする一定の向きに常に保たれており、軸１７ａは昇降棚１２の側板１１ａに固定されているため、昇降棚１２全体が常に水平に保持されている。また、軸１７ａはいずれの位置においてもその軸中心周りに回動することができないため、昇降棚１２の前後の揺動が阻止されている。破線で示した位置から更に昇降棚１２を矢印の方へと引き出し、ストッパー２７ａによって昇降棚１２の移動が停止するまでの過程においても、同様に昇降棚１２は水平状態が維持されると共に、前後の揺動が阻止されている。したがって、昇降棚１２の昇降動作がしやすいと共に、被収納物品が移動せず使い勝手が良い。
【００４９】
次に、支持アーム２４の移動時における機構ボックス２９内部の動作について説明する。機構ボックス２９についても昇降棚の両側にそれぞれ配置されているが、同一の構成であるので一方についてのみ説明する。
【００５０】
図７は、図３で示した機構ボックス内部の拡大図である。
【００５１】
図を参照して、機構ボックス２９ａの内部には、上述したように、スプリング３２と、その中空のコイル形状内部に配置されたオイルダンパー３１とが取付けられている。機構ボックス２９ａの側面パネル３０には長孔３５が形成され、この長孔３５を貫通してオイルダンパー３１と支持アーム２４ａとを接続するための軸３４が配置されている。長孔３５は、支持アーム２４ａの回転に伴って軸３４が軸２０ａを中心に円弧上を移動することができるような位置及び大きさに形成されている。即ち、長孔３５は軸２０ａの中心軸の軸方向を中心とする円弧形状に形成され、その幅は軸３４の径よりも大きく形成されている。
【００５２】
昇降棚１２の引き出しに伴って、支持アーム２４ａが軸２０ａを中心に図における時計回りに回転すると、支持アームの下方端部に取付けられた軸３４もまた、長孔３５の内部において軸２０ａを中心に時計回りに移動する。すると、軸３４の移動によって、オイルダンパー３１の下方端部が上方へと押し上げられて圧縮され、オイルダンパー３１は支持アーム２４ａに対して緩衝作用を発揮する。したがって、支持アーム２４ａを介して、昇降棚の急激な移動が抑制される。
【００５３】
また、オイルダンパー３１が圧縮される過程では、オイルダンパー３１の外周上に配置されたスプリング３２もまた、その軸方向に圧縮される。すると、スプリング３２は、その圧縮の向きと逆方向に付勢力を発揮して、軸３４を介して支持アーム２４ａをその回転方向と逆方向に付勢する。このスプリング３２の付勢力は、昇降棚の昇降時に昇降棚とその内部に収納された物品の重量を相殺するように働くため、昇降棚の昇降に必要な力が軽減される。したがって、昇降棚のスムーズな昇降が可能となり、使い勝手が向上する。また、スプリング３２は、支持アーム２４ａの図における反時計回りの移動に対しても同様に作用する。よって、昇降棚が、収納ケースに格納された状態から前後いずれの方向に僅かに移動してもスプリング３２によってその移動と逆方向に付勢されるので、使用者が意図しない昇降棚の移動が抑制され格納状態が安定する。
【００５４】
以上のように昇降装置が構成されているので、使用時には、昇降装置の扉を開いて収納ケース内部の昇降棚を手前下方に引き出して物品を出し入れし、その後に昇降棚を収納ケース内部へと押し上げて収納することが可能となる。そして、昇降棚の昇降は、前後いずれの方向からでも同様に行うことができる。よって、昇降装置を天井等の高所に取付けた場合でも、収納がしやすく、使い勝手が良い。
【００５５】
尚、上記の実施の形態では、昇降棚に固定された軸の回動阻止手段を、一組のスプロケットとチェーンとによって構成しているが、必ずしもこのように構成する必要はなく、昇降棚側の第１の軸と支持板側の第２の軸とを架け渡すように取付けられ、昇降棚の位置にかかわらず第１の軸の軸中心周りの回動を阻止することができる手段であれば良い。
【００５６】
また、上記の実施の形態では、一組のスプロケットとチェーンとからなる回動阻止手段は、昇降棚の両側に構成されているが、いずれか一方側にのみ構成しても良い。
【００５７】
更に、上記の実施の形態では、付勢手段としてスプリングを使用し、緩衝手段としてオイルダンパーを使用しているが、必ずしもスプリングとオイルダンパーである必要はなく、支持アームをその回転と逆方向に付勢することができる手段と、支持アームの移動を緩衝することができる手段であれば、他の手段でも良い。
【００５８】
更に、上記の実施の形態では、付勢手段と緩衝手段の両方が昇降棚の両側に取付けられているが、必ずしもこのように構成する必要はなく、付勢手段と緩衝手段の各々が少なくとも昇降棚の一方側に取付けられていれば良い。
【００５９】
更に、上記の実施の形態では、緩衝手段であるオイルダンパーは、軸を介して支持アームの下方端部と接続されているが、必ずしもこのように取付けられている必要はなく、支持アームの移動を緩衝することができるように支持アームと緩衝手段が取付けられていれば良い。
【００６０】
更に、上記の実施の形態では、オイルダンパーはスプリングの中空のコイル形状内部に配置されているが、必ずしもこのように配置する必要はなく、スプリングとオイルダンパーとを並列に配置しても良い。
【００６１】
更に、上記の実施の形態では、収納装置の前面及び後面をそれぞれを覆うように扉が取付けられているが、扉はなくても良い。
【図面の簡単な説明】
【図１】この発明の第１の実施の形態による昇降装置の正面図である。
【図２】図１で示したＩＩ−ＩＩラインから見た底面図である。
【図３】図１で示したＩＩＩ−ＩＩＩラインの断面図である。
【図４】図３で示したＩＶ−ＩＶラインの拡大断面図である。
【図５】スプロケットとチェーンとからなる回動阻止手段の動作原理を示した概略図である。
【図６】図１で示したＶＩ−ＶＩラインの拡大断面図である。
【図７】図３で示した機構ボックス内部の拡大図である。
【図８】従来の収納棚を使用したカウンターキッチンの概要を示した図である。
【図９】図８で示したＩＸ−ＩＸラインの断面図である。
【符号の説明】
１…昇降装置
４…支持板
１１…側板
１２…昇降棚
１７、２０、３３、３４…軸
１８、２１…スプロケット
２４…支持アーム
２５…チェーン
３１…オイルダンパー
３２…スプリング
３６…軸受板
尚、各図中同一符号は同一又は相当部分を示す。
【図１】
2004321506.tif 000003
【図２】
2004321506.tif 000004
【図３】
2004321506.tif 000005
【図４】
2004321506.tif 000006
【図５】
2004321506.tif 000007
【図６】
2004321506.tif 000008
【図７】
2004321506.tif 000009
【図８】
2004321506.tif 000010
【図９】
2004321506.tif 000011